(57)【要約】【目的】本発明は、たとえ前記施解錠部材に大きな背圧がかかってしまったとしてもその背圧をソレノイドロッド側に直に伝達しない構造とし、もって施解錠が行えなくなることのない電気錠装置を提供することを目的とする。【構成】略凹状をなす受け部に遊嵌された、施錠すべき部材側に設けられた施錠部材を、受け部内に収納して塞ぎ、施錠状態とし、かつ解錠状態とするフック部と、施錠状態及び解錠状態を保持する施解錠状態保持部と、を有する施解錠部材と、施解錠状態保持部に接触及び離間可能なローラを有し、緩衝部材と、施解錠部材の施解錠動作を緩衝部材のローラに伝達し、ローラの施解錠状態保持部への接触及び離間動作を行うロッキングレバーと、を有することをことを特徴とする。【選択図】              図１
2012184633.tif 000002
【特許請求の範囲】
【請求項１】
略凹状をなす受け部に遊嵌された、施錠すべき部材側に設けられた施錠部材を、該受け部内に収納して受け部を塞ぎ、施錠状態とし、かつ前記受け部から退避して解錠状態とするフック部と、前記フック部の前記施解錠動作に連動し、施錠状態及び解錠状態を保持する施解錠状態保持部と、を有する施解錠部材と、
前記施解錠状態保持部に接触及び離間可能なローラを有し、該ローラの前記施解錠状態保持部への接触は、緩衝具により柔軟性をもって行う機構とした緩衝部材と、
施解錠動作を行う施解錠部材と連動し、前記施解錠部材の施解錠動作を前記緩衝部材のローラに伝達し、該ローラの施解錠状態保持部への接触及び離間動作を行うロッキングレバーと、
を有することを特徴とする錠装置  
【請求項２】
前記受け部あるいはフック部に消音用カバーを装着した、
ことを特徴とする請求項1記載の錠装置。
【発明の詳細な説明】
【技術分野】
【０００１】
本発明は、錠装置に係り、特にソレノイドロッドなど電気的部品を利用して施解錠操作を行う電気錠装置に関するものである。
【背景技術】
【０００２】
従来より、例えばロッカーやボックス型の扉側に装着された施錠用の係止棒などの施錠機構を受ける受け部内に収納し、その後受け部を施錠フックで塞いで前記係止棒を係止し、施錠するタイプの錠装置が一般的によく知られ、利用されている。
【０００３】
そして、近年では前記錠装置につき、いわゆるソレノイドロッドを錠装置の内部に存する施解錠構造に使用して電気錠装置として構成し、該電気錠装置をロッカーやボックス型の扉施解錠に使用するタイプが一般的になっている。
【０００４】
しかしながら、前記タイプの電気錠装置は、その内部構造がソレノイドロッドを使用して比較的精密に構成されており、例えば扉側に装着されている施錠用の係止棒などに何らかの力が加わり、該施錠用の係止棒に加わった力、例えば背圧が施錠した際の施錠フックに伝達し、さらにこの施錠フックからの前記背圧が施解錠部材に伝達すると、該施解錠部材を作動させるソレノイドロッドに対しても、いわゆる大きな背圧がかかってしまい、もってソレノイドロッドを圧迫し、施解錠が困難になる場合のほか、最終的には施解錠が出来なくなってしなうとの課題があった。
【先行技術文献】
【特許文献】
【０００５】
【特許文献１】特開平７−２６９１９１号公報
【発明の概要】
【発明が解決しようとする課題】
【０００６】
かくして本発明は前記従来の課題に対処すべく創案されたものであって、例えば扉側に装着されている施錠用の係止棒に何らかの力が加わり、該施錠用の係止棒に加わった力、例えば背圧が施錠した際の施錠フックに伝達し、さらにこの施錠フックからの前記背圧が施解錠部材に伝達すると、該施解錠部材を作動するソレノイドロッドに対しても、いわゆる大きな背圧がかかってしまう。しかし、たとえ前記施解錠部材に大きな背圧がかかってしまったとしてもその背圧をソレノイドロッド側に直に伝達しない構造とし、もって施解錠が行えなくなることのない電気錠装置を提供することを目的とするものである。
【課題を解決するための手段】
【０００７】
本発明による電気錠装置は、
略凹状をなす受け部に遊嵌された、施錠すべき部材側に設けられた施錠部材を、該受け部内に収納して受け部を塞ぎ、施錠状態とし、かつ前記受け部から退避して解錠状態とするフック部と、前記フック部の前記施解錠動作に連動し、施錠状態及び解錠状態を保持する施解錠状態保持部と、を有する施解錠部材と、
前記施解錠状態保持部に接触及び離間可能なローラを有し、該ローラの前記施解錠状態保持部への接触は、緩衝具により柔軟性をもって行う機構とした緩衝部材と、
施解錠動作を行う施解錠部材と連動し、前記施解錠部材の施解錠動作を前記緩衝部材のローラに伝達し、該ローラの施解錠状態保持部への接触及び離間動作を行うロッキングレバーと、
を有することを特徴とし、
または、  
前記受け部あるいはフック部に消音用カバーを装着した、
ことを特徴とするものである。
【発明の効果】
【０００８】
本発明による電気錠装置であれば、例えば扉側に装着されている施錠用の係止棒に何らかの力が加わり、該施錠用の係止棒に加わった力、例えば背圧が施錠した際の施錠フックに伝達し、さらにこの施錠フックからの前記背圧が施解錠部材に伝達すると、該施解錠部材を作動するソレノイドロッドに対しても、いわゆる大きな背圧がかかってしまうが、たとえ前記施解錠部材に大きな背圧がかかってしまったとしても、その背圧をソレノイドロッド側に直に伝達しない構造とし、もって施解錠が行えなくなることがないとの優れた効果を奏する。すなわち、前述した施錠フックにかかる不意の振動や衝撃などを直接ソレノイドロッド側に伝えない機構の電気錠装置としたのである。
【図面の簡単な説明】
【０００９】
【図１】本発明の構成を説明する構成説明図（１）である。
【図２】本発明の構成を説明する構成説明図（２）である。
【図３】本発明の構成を説明する構成説明図（３）である。
【図４】本発明の構成を説明する構成説明図（４）である。
【図５】ロッキングレバーの構成を説明する構成説明図である。
【発明を実施するための形態】
【００１０】
以下、本発明を図に示す実施例に基づいて説明する。
【実施例】
【００１１】
図１乃至図４は本実施例の構成を説明した説明図である。
ここで、本実施例の電気錠装置は、各種の電気錠構成部材が取り付けられる略正方形のベース状をなす装置基体１を有している。そして、この装置基体１は、例えばロッカーやボックス状をなす保管庫などの側面部に取り付けられる。
【００１２】
符号２は前記装置基体１に形成された受け部であり、該受け部２は、前記装置基体１の一側面側に略凹状に切りかかれて構成される。そして、図２から理解されるように、該受け部2内には、例えば開閉する扉側に取り付けられた施錠用の係止棒３が収納されるよう構成される。すなわち、開閉する扉側に取り付けられた施錠用の係止棒３は、扉が閉められた際、前記受け部２の開口部側から底側に向かって進入するよう構成され、その後受け部２内に閉じ込められて施錠状態となる。また、受け部２には、場合によってはフック部５についても、例えば合成樹脂材で形成された消音カバーで被覆されており、該消音カバーで被覆することにより前記係止棒３が接触したとしても接触音を生じさせることなく消音することが出来る。
【００１３】
次に、符号４は施解錠部材を示す。該施解錠部材４は、前記受け部２の開口部を塞いで前記施錠用の係止棒３を受け部２内に係止させ、施錠状態とすると共に、前記受け部２から退避し、前記開口部を開く様動作し、前記係止棒３が受け部２から脱出出来るように構成された爪状のフック部５と、該フック部５の前記施解錠動作に連動し、前記フック部５の施錠状態及び解錠状態を一時的に保持する施解錠状態保持部６と、やはりフック部５の前記施解錠動作に連動し、施解錠信号を第１スイッチ７に送出する施解錠信号送出部８とを有して構成され、これらフック部５、施解錠状態保持部６及び施解錠信号送出部８は、施解錠部材４の中心部から円周方向にほぼ等間隔をおいてフック部５、施解錠状態保持部６及び施解錠信号送出部８が位置するよう配置し、前記配置された三方向からそれぞれ外側に向かい突出するよう突片状に張り出して構成されている。
【００１４】
さらに、施解錠部材４は、その中心部を回動軸として回動しうるよう設けられた第１回動軸部９により回動可能に軸支されており、施解錠の動作を受けて前記フック部５が時計回りに回動し前記受け部２の開口部を塞ぎ、あるいは時計回りの逆方向へ回動して受け部２から退避し、開口部を開けるよう構成されている。
【００１５】
また、施解錠状態保持部６は前記フック部５の略反対側に突出して突片状に形成されていることをすでに説明したが、該施解錠状態保持部６についても前記フック部５の施解錠動作に連動して回動し、後述する緩衝部材１０のローラ１１によって、そのフック部５の解錠状態及び施錠状態が保持されるように構成されている。
【００１６】
次いで、緩衝部材１０は、各図から理解されるように、外形が略くの字状に形成され、その中心部は第２回回動軸部１２により、回動出来るよう構成されている。
【００１７】
また、符号１３は、ロッキングレバーであり、前記第２回動軸部１２により、ロッキングレバー１３の中心部を軸として回動可能に軸支されている。そして、緩衝部材１０の下側に緩衝部材１０に重ねられて取り付けられている。符号１４は、本実施例の錠装置内に内蔵された施解錠部材群の構成部品であるソレノイドロッドであり、該ソレノイドロッド１４は、施解錠の信号を受けて、伸縮ロッドが長手方向に伸縮する様に構成されている。そしてこのソレノイドロッド１４は前記ロッキングレバー１３に接続されており、ソレノイドロッド14が伸縮すると、ロッキングレバー１３が第２回動軸部１２を回動軸として回動するようになっている。
【００１８】
すなわち、ロッキングレバー１３は、前記ソレノイドロッド１４と接続されている接続部１５と、緩衝具１６が取り付けられた緩衝具取り付け片１７とを有して構成され、前記接続部１５は図１乃至図３において、向かって右側に配置され、緩衝具取り付け片１７は上側に配置されて構成されている。
【００１９】
ここで、緩衝具取り付け片１７の上部には取り付け用の孔１８が穿設されており、該孔１８にはスプリング１９が前記第２回動軸部１２を中心軸としてその円周方向に向かい伸縮するよう設置されている。
【００２０】
そして、前記ロッキングレバー１３の上部には、前記緩衝部材１０に設けられたストッパー２０が前記スプリング１９の伸縮方向略中間位置に係止するよう、重ねられて緩衝部材１０が設置されている。すなわち、前記スプリング１９とその伸縮方向中間位置に係止するよう設置されたストッパー20により緩衝具１６が構成されるものとなる。
【００２１】
以上において、本発明の錠装置の動作につき説明する。
図１は解錠状態を示す説明図であり、図３は施錠状態を示す説明図である。そして、図２は解錠状態から施錠状態に動作する中間を示す説明図である。
施錠信号が施解錠部材４に送出されると、該施解錠部材４は第１回動軸部９を回動軸として時計方向に回動し、フック部５が受け部２の開口部を塞ぎ、係止棒３の受け部２からの離脱を防止し、施錠状態とする（図３参照）。
【００２２】
同様に、施錠信号はソレノイドロッド１４を伸張させ、その結果ソレノイドロッド１４に接続されているロッキングレバー１３が第２回動軸部１２を回動軸としてやはり時計回り方向に回動する。すると、そのロッキングレバー１３の回動力は前記緩衝１６を介して緩衝部材１６に伝わり、緩衝部材１６も時計回り方向へ回動する。すると、図３に示す様に、緩衝部材１６に取り付けられているローラ１１が、施錠状態となった施解錠部材４の施解錠状態保持部６の施錠状態保持辺２１側に当接して、施解錠部材４の施錠状態を保持するものとなる（図３参照）。
【００２３】
ところで、この施錠状態のとき、閉めた扉が何らかの理由で引っ張られたとする。すると、受け部２内に収納された係止棒３がフック部５を背面から押圧することになり、その結果施解錠部材４が反時計回り方向へ回動しようとし、もって、施錠状態保持辺２１側に当接するローラ１１を押圧することとなる。従来、その押圧力はダイレクトにソレノイドロッド１４側に伝わり、その結果ソレノイドロッド１４が動作不良となることが多々あった。すなわち、従来では前記フック部５にかかる不意の振動や衝撃がもろにソレノイドロッド１４側に伝わってしまう構造であった。
【００２４】
しかしながら、本発明では、そのローラ１１を押圧した押圧力はダイレクトにソレノイドロッド１４側に伝達しない構造とした。すなわち、ローラ１１は緩衝部材１０に取り付けられており、また緩衝部材１０は緩衝具１６を介してローラ１１に加わった押圧力をロッキングレバー１３に伝達するようになっている。従って、ソレノイドロッド１４についても解錠のための初動時の力、例えばソレノイドロッド１４の吸引力が小さい力であったとしても確実に作動して、ローラ１１を施解錠状態保持部６の施錠状態保持辺２１から外し、ついで、離間させ、さらには解錠状態保持辺２２側にスムーズに移動するように構成されている。
【００２５】
ところで、図１に示す様にソレノイドロッド１４が吸引してロッキングレバー１３が解錠位置に回動すると、ロッキングレバー１３が当接していた第２スイッチ２３から離間し、解錠信号を送出できるよう構成されている。また、同様に施解錠部材４側の第１スイッチ７も離間し、解錠信号を送出することになる。
【００２６】
なお、符号２４は非常用解錠部材であり、何らかの原因により、ソレノイドロッド１４などが動作しなくなり、施錠状態から解錠できなくなったとき、ハンドル２５を反時計回りに回動することにより、強制的にソレノイドロッド１４を吸引し、解錠できるものとしてある。
【符号の説明】
【００２７】
１      装置本体
２      受け部
３      係止棒
４      施解錠部材
５      フック部
６      施解錠保持部
７      第１スイッチ
８      施解錠信号送出部
９      第１回動軸部
１０    緩衝部材
１１    ローラ
１２    第２回動軸部
１３    ロッキングレバー
１４    ソレノイドロッド
１５    接続部
１６    緩衝具
１７    緩衝具取り付け片
１８    取り付け用の孔
１９    スプリング
２０    ストッパー
２１    施錠状態保持辺
２２    解錠状態保持辺
２３    第２スイッチ
２４    非常用解錠部材
２５    ハンドル    
【図１】
2012184633.tif 000003
【図２】
2012184633.tif 000004
【図３】
2012184633.tif 000005
【図４】
2012184633.tif 000006
【図５】
2012184633.tif 000007